(57)【特許請求の範囲】
【請求項１】
ストレート状の水を吐水するストレート吐水口と、前記ストレート吐水口の周囲に設けられ空気を吐出する空気口と、前記空気口の周囲に設けられ膜状の水を吐水する膜吐水口と、を形成する吐水部と、
前記ストレート吐水口に水を供給するストレート吐水管と、
前記空気口に空気を供給する空気供給管と、
前記膜吐水口に水を供給する膜吐水管と、
を備え、
前記ストレート吐水管、前記空気供給管、及び前記膜吐水管は、前記吐水部において内側から順に３重の入れ子構造を有し、前記吐水部よりも上流側の分岐点において、前記膜吐水管を前記空気供給管の管外に分岐させた、前記ストレート吐水管及び前記空気供給管による２重の入れ子構造を有する、水栓。
【請求項２】
前記分岐点よりも上流側において、前記空気供給管に空気を供給する空気供給源をさらに備え、
前記ストレート吐水管は、前記空気供給源の中を貫通して前記空気供給管の中に通される、請求項１に記載の水栓。
【請求項３】
前記分岐点の上流側で、前記膜吐水管と、２重の入れ子構造である前記ストレート吐水管及び前記空気供給管とを収容して、前記水栓を支持する台座に取り付けられる収容管をさらに備える、請求項１又は２に記載の水栓。
【請求項４】
前記収容管の上端から側方に前記吐水部に向かって延び、前記ストレート吐水管、前記空気供給管、及び前記膜吐水管が内側から順に３重の入れ子構造を有する第１スパウト部をさらに備える、請求項３に記載の水栓。
【請求項５】
前記第１スパウト部において、前記膜吐水管と前記空気供給管との間の空間の容積は、前記空気供給管と前記ストレート吐水管との間の空間及び前記ストレート吐水管の管内の空間の合計の容積よりも大きい、請求項４に記載の水栓。
【請求項６】
前記第１スパウト部における前記膜吐水管は、前記第１スパウト部の外表面を構成する、請求項４又は５に記載の水栓。
【請求項７】
前記第１スパウト部の下流側から下方に延びて前記吐水部に接続し、前記ストレート吐水管、前記空気供給管、及び前記膜吐水管が、内側から順に３重の入れ子構造となる第２スパウト部をさらに備える、請求項４から６のいずれか一項に記載の水栓。
【請求項８】
前記第２スパウト部における前記膜吐水管の上下方向の長さは、前記膜吐水口の直径よりも長い、請求項７に記載の水栓。
【請求項９】
前記第２スパウト部における前記膜吐水管は、前記第１スパウト部における前記膜吐水管の下流側に接続して下方に延びる第１流路と、前記第１流路の下端部から前記膜吐水口に向けて外側に傾斜して延びる第２流路とを有する、請求項７又は８に記載の水栓。
【発明の詳細な説明】
【技術分野】
【０００１】
本発明は、水栓に関する。
【背景技術】
【０００２】
従来の水栓には、例えば、特許文献１に記載されているものが知られている。特許文献１には、吐出流体が水滴や飛沫を生じない薄い立体水膜を形成し、吐水量が少量でも広い範囲に効率良く拡流する流体用蛇口が記載されている。
【先行技術文献】
【特許文献】
【０００３】
【特許文献１】特開平５−１４０９７３号公報
【発明の概要】
【発明が解決しようとする課題】
【０００４】
しかしながら、膜状の水だけでなくストレート状の水も吐水する水栓や、膜状の水を安定して吐水するために、膜状の水の内側に空気を吐出する水栓等が考えられる。水栓において、膜状の水、ストレート状の水、及び空気を吐出する場合、水栓の構造が複雑となり得る。このため、簡易な構成で、膜状の水、ストレート状の水、及び空気を吐出することができる水栓を提供するという観点において、未だ改善の余地があると言える。
【０００５】
本発明の目的は、上記課題を解決することにあって、簡易な構成で、膜状の水、ストレート状の水、及び空気を吐出することができる水栓を提供することにある。
【課題を解決するための手段】
【０００６】
上記目的を達成するために、本発明の一態様の水栓は、ストレート状の水を吐水するストレート吐水口と、前記ストレート吐水口の周囲に設けられ空気を吐出する空気口と、前記空気口の周囲に設けられ膜状の水を吐水する膜吐水口と、を形成する吐水部と、前記ストレート吐水口に水を供給するストレート吐水管と、前記空気口に空気を供給する空気供給管と、前記膜吐水口に水を供給する膜吐水管と、を備え、前記ストレート吐水管、前記空気供給管、及び前記膜吐水管は、前記吐水部において内側から順に３重の入れ子構造を有し、前記吐水部よりも上流側の分岐点において、前記膜吐水管を前記空気供給管の管外に分岐させた、前記ストレート吐水管及び前記空気供給管による２重の入れ子構造を有する。
【発明の効果】
【０００７】
本発明に係る水栓によれば、簡易な構成で、膜状の水、ストレート状の水、及び空気を吐出することができる。
【図面の簡単な説明】
【０００８】
【図１】本発明の実施形態に係る水栓の概略構成を示す斜視図
【図２】本発明の実施形態に係る水栓の概略構成を示す縦断面図
【図３】本発明の実施形態に係る水栓の概略構成を示す横断面図
【図４】本発明の実施形態に係る第１スパウト部の拡大図
【図５】図２のＸ１部分の拡大図
【図６】図５の吐水部周辺の拡大図
【発明を実施するための形態】
【０００９】
本発明の第１態様によれば、ストレート状の水を吐水するストレート吐水口と、前記ストレート吐水口の周囲に設けられ空気を吐出する空気口と、前記空気口の周囲に設けられ膜状の水を吐水する膜吐水口と、を形成する吐水部と、前記ストレート吐水口に水を供給するストレート吐水管と、前記空気口に空気を供給する空気供給管と、前記膜吐水口に水を供給する膜吐水管と、を備え、前記ストレート吐水管、前記空気供給管、及び前記膜吐水管は、前記吐水部において内側から順に３重の入れ子構造を有し、前記吐水部よりも上流側の分岐点において、前記膜吐水管を前記空気供給管の管外に分岐させた、前記ストレート吐水管及び前記空気供給管による２重の入れ子構造を有する水栓を提供する。
【００１０】
本発明の第２態様によれば、前記分岐点よりも上流側において、前記空気供給管に空気を供給する空気供給源をさらに備え、前記ストレート吐水管は、前記空気供給源の中を貫通して前記空気供給管の中に通される、第１態様に記載の水栓を提供する。
【００１１】
本発明の第３態様によれば、前記分岐点の上流側で、前記膜吐水管と、２重の入れ子構造である前記ストレート吐水管及び前記空気供給管とを収容して、前記水栓を支持する台座に取り付けられる収容管をさらに備える、第１態様又は第２態様に記載の水栓を提供する。
【００１２】
本発明の第４態様によれば、前記収容管の上端から側方に前記吐水部に向かって延び、前記ストレート吐水管、前記空気供給管、及び前記膜吐水管が内側から順に３重の入れ子構造を有する第１スパウト部をさらに備える、第３態様に記載の水栓を提供する。
【００１３】
本発明の第５態様によれば、前記第１スパウト部において、前記膜吐水管と前記空気供給管との間の空間の容積は、前記空気供給管と前記ストレート吐水管との間の空間及び前記ストレート吐水管の管内の空間の合計の容積よりも大きい、第４態様に記載の水栓を提供する。
【００１４】
本発明の第６態様によれば、前記第１スパウト部における前記膜吐水管は、前記第１スパウト部の外表面を構成する、第４態様又は第５態様に記載の水栓を提供する。
【００１５】
本発明の第７態様によれば、前記第１スパウト部の下流側から下方に延びて前記吐水部に接続し、前記ストレート吐水管、前記空気供給管、及び前記膜吐水管が、内側から順に３重の入れ子構造となる第２スパウト部をさらに備える、第４態様から第６態様のいずれか１つに記載の水栓を提供する。
【００１６】
本発明の第８態様によれば、前記第２スパウト部における前記膜吐水管の上下方向の長さは、前記膜吐水口の直径よりも長い、第７態様に記載の水栓を提供する。
【００１７】
本発明の第９態様によれば、前記第２スパウト部における前記膜吐水管は、前記第１スパウト部における前記膜吐水管の下流側に接続して下方に延びる第１流路と、前記第１流路の下端部から前記膜吐水口に向けて外側に傾斜して延びる第２流路とを有する、第７態様又は第８態様に記載の水栓を提供する。
【００１８】
以下、本発明に係る実施形態を図面に基づいて詳細に説明する。なお、この実施形態によって本発明が限定されるものではない。
【００１９】
（実施形態）
まず、図１を用いて、水栓１の概略構成について説明する。図１は、本実施形態に係る水栓１の斜視図である。水栓１は、例えば、キッチン、洗面所、バス等に設けられる水栓装置である。以下の図面において、Ｘ方向及びＹ方向は、水平面内で互いに直交する方向であって、Ｚ方向は、Ｘ方向及びＹ方向に直交する高さ方向（上下方向）である。
【００２０】
図１に示すように、水栓１は、膜状の水及びストレート状の水を吐水する。本実施形態の膜状の水は、平面視で環状（例えば、円環状）であって、下方（−Ｚ方向）に向かって外側に広がるように形成される。ストレート状の水は、膜状の水の内側において真下に向かってストレート状に吐水される。
【００２１】
さらに、水栓１は、膜状の水を安定して形成できるようにするために、膜状の水の内側であってストレート状の水の外側において空気を吐出する。膜状の水、ストレート状の水、及び空気の吐出構成の具体的な説明については、後で詳述する。
【００２２】
水栓１は、吐水口１０が形成される吐水部２０と、膜吐水管３０と、ストレート吐水管４０と、空気供給管５０と、スパウト本体６０と、収容管７０とを備える。
【００２３】
膜吐水管３０は、膜状の水を吐水するための配管である。ストレート吐水管４０は、ストレート状の水を吐水するための配管である。空気供給管５０は、空気を吐出するための配管である。膜吐水管３０、ストレート吐水管４０、及び空気供給管５０は、いずれも吐水部２０（吐水口１０）に接続される。
【００２４】
スパウト本体６０は、水栓１の本体を構成する部分であり、その中に膜吐水管３０、ストレート吐水管４０、及び空気供給管５０が通る。収容管７０は、膜吐水管３０、ストレート吐水管４０、及び空気供給管５０を収容する部分である。収容管７０は、水栓１を支持する台座３に向かって（例えば、上下方向に）延びる。収容管７０によって、内部の配管を覆い隠すことができ、デザイン性を向上させることができる。
【００２５】
スパウト本体６０は、第１スパウト部６２及び第２スパウト部６４を有する。第１スパウト部６２は、収容管７０の上端から側方（例えば、Ｘ方向）に延びる部分である。第２スパウト部６４は、第１スパウト部６２の下流側から下方（−Ｚ方向）に延びる部分である。本実施形態の第１スパウト部６２は、第２スパウト部６４を通じて吐水部２０に接続される。
【００２６】
次に、図２を用いて、膜吐水管３０、ストレート吐水管４０、及び空気供給管５０の配管構成について説明する。図２は、水栓１の概略構成を示す縦断面図である。
【００２７】
図２に示すように、吐水口１０は、膜吐水を行う膜吐水口１２と、ストレート吐水を行うストレート吐水口１４と、空気を吐出する空気口１６とを有する。空気口１６は、ストレート吐水口１４の周囲に設けられ、膜吐水口１２は、空気口１６の周囲に設けられる。
【００２８】
膜吐水管３０は、膜吐水口１２に連通して膜吐水口１２に水を供給する。ストレート吐水管４０は、ストレート吐水口１４に連通してストレート吐水口１４に水を供給する。空気供給管５０は、空気口１６に連通して空気口１６に空気を供給する。
【００２９】
吐水部２０において、膜吐水管３０の管内に空気供給管５０が配置され、空気供給管５０の管内にストレート吐水管４０が配置された３重菅構造となっている。すなわち、吐水部２０において、ストレート吐水管４０、空気供給管５０、及び膜吐水管３０は、内側から順に３重の入れ子構造を有する。
【００３０】
吐水部２０よりも上流側の分岐点Ｐ１において、膜吐水管３０は、ストレート吐水管４０及び空気供給管５０の管外に分岐する。これにより、分岐点Ｐ１よりも上流側において、膜吐水管３０は、ストレート吐水管及び空気供給管５０から独立して配置された状態となる。
【００３１】
分岐点Ｐ１よりも上流側では、空気供給管５０の管内にストレート吐水管４０が配置されて２重菅構造となっている。すなわち、ストレート吐水管４０及び空気供給管５０は、内側から順に２重の入れ子構造となっている。
【００３２】
空気供給管５０は、分岐点Ｐ１よりも上流側において空気供給源５５に接続する。空気供給源５５は、空気供給管５０に空気を供給する部材であり、例えばファン等である。
【００３３】
図２に示すように、空気供給源５５には、ストレート吐水管４０が挿通される。空気供給源５５は貫通孔５６を有し、貫通孔５６を通じてストレート吐水管４０が空気供給源５５の内部に通される。空気供給源５５に通されたストレート吐水管４０は、下流側で空気供給管５０の中に入り、ストレート吐水管４０及び空気供給管５０の２重の入れ子構造となる。
【００３４】
ストレート吐水管４０を空気供給源５５を通じて空気供給管５０内に通すことで、ストレート吐水管４０を空気供給管５０の途中から合流させて空気供給管５０の中に通す場合に比べて、ストレート吐水管４０を強制的に曲げることなく空気供給管５０に接続できる。これにより、２重菅構造を作ることで、構造を簡素化することができ、水栓１の小型化を図ることができる。
【００３５】
次に、膜吐水管３０、ストレート吐水管４０、及び空気供給管５０のより詳細な配管構成について説明する。
【００３６】
図２に示すように、膜吐水管３０は、第１膜吐水管３１、第２膜吐水管３２、及び第３膜吐水管３３を有する。第１膜吐水管３１は、分岐点Ｐ１よりも上流側において上下方向（Ｚ方向）に延びる部分である。第２膜吐水管３２は、第１膜吐水管３１の下流側に接続して第１膜吐水管３１の側方（例えば、Ｘ方向）に延びる部分である。第３膜吐水管３３は、第２膜吐水管３２の下流側に接続して下方（−Ｚ方向）に延びる部分である。
【００３７】
本実施形態の第２膜吐水管３２及び第３膜吐水管３３は、水栓１の外表面を構成する。具体的には、第２膜吐水管３２は第１スパウト部６２の外表面を構成し、第３膜吐水管３３は第２スパウト部６４の外表面を構成する。
【００３８】
ストレート吐水管４０は、第１ストレート吐水管４１、第２ストレート吐水管４２、及び第３ストレート吐水管４３を有する。第１ストレート吐水管４１は、分岐点Ｐ１よりも上流側において上下方向（Ｚ方向）に延びる部分である。第２ストレート吐水管４２は、第１ストレート吐水管４１の下流側に接続して第１ストレート吐水管４１の側方（例えば、Ｘ方向）に延びる部分である。第３ストレート吐水管４３は、第２ストレート吐水管４２の下流側に接続して下方（−Ｚ方向）に延びる部分である。
【００３９】
空気供給管５０は、第１空気供給管５１、第２空気供給管５２、及び第３空気供給管５３を有する。第１空気供給管５１は、分岐点Ｐ１よりも上流側において上下方向（Ｚ方向）に延びる部分である。第２空気供給管５２は、第１空気供給管５１の下流側に接続して第１空気供給管５１の側方（例えば、Ｘ方向）に延びる部分である。第３空気供給管５３は、第２空気供給管５２の下流側に接続して下方（−Ｚ方向）に延びる部分である。
【００４０】
分岐点Ｐ１よりも上流側では、第１膜吐水管３１は、第１ストレート吐水管４１及び第１空気供給管５１の管外に配置される。第１ストレート吐水管４１は、第１空気供給管５１の管内に配置される。第１空気供給管５１は空気供給源５５に接続され、第１空気供給管５１及び空気供給源５５の両方の内部を通るように、第１ストレート吐水管４１が挿通される。
【００４１】
分岐点Ｐ１よりも下流側では、第１スパウト部６２において、第２ストレート吐水管４２は第２空気供給管５２の管内に配置され、第２空気供給管５２は第２膜吐水管３２の管内に配置される。第２スパウト部６４において、第３ストレート吐水管４３は第３空気供給管５３の管内に配置され、第３空気供給管５３は第３膜吐水管３３の管内に配置される。
【００４２】
本実施形態では、第１膜吐水管３１、第１ストレート吐水管４１、及び第１空気供給管５１は、分岐点Ｐ１の上流側で収容管７０に収容される。収容管７０は、第１膜吐水管３１と、２重の入れ子構造である第１ストレート吐水管４１及び第１空気供給管５１とを収容する。収容管７０は、例えば上端部において、第２膜吐水管３２に取り付けられる。
【００４３】
次に、配管内の流体の流れについて、図２及び図３を用いて説明する。図３は、水栓１の概略構成を示す横断面図である。
【００４４】
図２及び図３に示すように、膜吐水管３０において、上流側から供給される水は、第１膜吐水管３１内の空間９０（流路）から、第２膜吐水管３２内の空間９１を通じて、第３膜吐水管３３内の空間９２に流れ、膜吐水口１２から吐水される。
【００４５】
ストレート吐水管４０において、上流側から供給される水は、第１ストレート吐水管４１内の空間９３から、第２ストレート吐水管４２内の空間９４を通じて、第３ストレート吐水管４３内の空間９５に流れ、ストレート吐水口１４から吐水される。
【００４６】
空気供給管５０において、空気供給源５５から供給される空気は、第１空気供給管５１内の空間９６から、第２空気供給管５２内の空間９７を通じて、第３空気供給管５３内の空間９８に流れ、空気口１６から吐出される。
【００４７】
次に、図４を用いて、第１スパウト部６２の詳細な構成について説明する。図４は、第１スパウト部６２の拡大図である。
【００４８】
図４に示すように、第２膜吐水管３２の内部において、空間９１は、上流側端部に形成される第１空間９１ａと、第１空間９１ａの下流側に形成される第２空間９１ｂと、下流側端部に形成される第３空間９１ｃとを有する。
【００４９】
第１空間９１ａは、第１膜吐水管３１の上方であって、第２空気供給管５２の外側（−Ｘ方向外側）に形成される。第２空間９１ｂは、第２空気供給管５２の径方向外周部に形成される。第３空間９１ｃは、第２空気供給管５２の外側（＋Ｘ方向外側）であって、第３膜吐水管３３の径方向外側（＋Ｘ方向外側）に形成される。
【００５０】
第１膜吐水管３１を流れる水は、第１空間９１ａを経由して、第２空間９１ｂを通じて第３膜吐水管３３へ流れる。本実施形態では、第２空間９１ｂを流れる水の一部は、第３空間９１ｃを経由せずに第３膜吐水管３３へ直接流れ、第２空間９１ｂを流れる残りの水は、第３空間９１ｃを経由して第３膜吐水管３３へ流れる。このように、第２空間９１ｂを流れる水を分断して第３空間９１ｃに流すことで、第２空間９１ｂを流れる水の勢いを弱めて第３膜吐水管３３に水を流すことができる。これにより、第３膜吐水管３３を流れる水を整流して膜吐水口１２から安定的な膜吐水を行うことができる。
【００５１】
第１空間９１ａ、第２空間９１ｂ、及び第３空間９１ｃを含む空間９１の容積は、第１スパウト部６２における第２空気供給管５２と第２ストレート吐水管４２との間の空間９７及び第２ストレート吐水管４２の管内の空間９４の合計の容積よりも大きく設定される。これにより、第２膜吐水管３２の内部流路の容積を大きくして、空間９１を通る水を整流することができ、第３膜吐水管３３から安定的な膜吐水を行うことができる。
【００５２】
次に、図５及び図６を用いて、吐水部２０周辺の構成について具体的に説明する。図５は、図２のＸ１部分の拡大図である。図６は、図５の吐水部２０周辺の拡大図である。
【００５３】
図５及び図６に示すように、本実施形態の第３空気供給管５３には、アタッチメント８０が着脱可能に取り付けられる。第３空気供給管５３の先端の外周部にはねじ山５４が形成されており、アタッチメント８０の内周部に形成されたねじ山８１にねじ山５４を螺合させて、アタッチメント８０を取り付ける。
【００５４】
図６に示すように、本実施形態のアタッチメント８０の外周部には、傾斜面８３が形成される。傾斜面８３は、下方（先端）に向かうにつれて外側に広がるように上下方向に対して傾斜して延びる。第３膜吐水管３３の内周部には、傾斜面８３に対向する傾斜面３４が形成される。傾斜面３４は、傾斜面８３に沿って延びて形成される。
【００５５】
アタッチメント８０の傾斜面８３と第３膜吐水管３３の傾斜面３４との間には、空間９９が形成される。第３膜吐水管３３から供給される水は、空間９９を通って膜吐水口１２から吐水される。膜吐水口１２は、第３膜吐水管３３とアタッチメント８０との間において、平面視で環状（例えば、円環状）に形成される。傾斜面３４，８３を形成することにより、膜吐水口１２から下方に向けて広範囲に膜吐水を行うことができる。
【００５６】
本実施形態では、傾斜面８３の上端部８４は第３膜吐水管３３内に配置され、傾斜面８３の下端部８５は、第３膜吐水管３３の下端部３６よりも下方に配置される。第３膜吐水管３３の下端部３６の径は、アタッチメント８０（傾斜面８３）の下端部８５の径よりも小さい。これにより、第３膜吐水管３３を小型化すると共に、膜状の水を広範囲に吐水することができる。
【００５７】
第２スパウト部６４における第３膜吐水管３３は、空間９２に設けられる第１流路１０１と、空間９９に設けられる第２流路１０２を有する。第１流路１０１は、第１スパウト部６２（図５）における第２膜吐水管３２の下流側に接続して下方（−Ｚ方向）に延びる。第２流路１０２は、第１流路１０１の下端部から膜吐水口１２に向けて外側に傾斜して延びる。第２流路１０２は、第３膜吐水管３３の傾斜面３４とアタッチメント８０の傾斜面８３との間の空間９９に形成される。
【００５８】
図５に示すように、第２スパウト部６４における第３膜吐水管３３の上下方向の長さＬ１は、膜吐水口１２の直径Ｄ１よりも長く設定される。直線的な流路を有する第３膜吐水管３３の上下方向の長さＬ１を長くすることで、第３膜吐水管３３内を流れる時間を長くすることができ、整流状態を長く保つことができる。これにより、膜吐水口１２から安定的な膜吐水を行うことができる
【００５９】
上記構成を有する水栓１では、膜吐水管３０、ストレート吐水管４０、及び空気供給管５０は、分岐点Ｐ１よりも下流側において３重菅構造となっており、分岐点Ｐ１において膜吐水管３０が管外に分岐した構造となっている。膜吐水管３０を分岐させることで、分岐点Ｐ１よりも上流側で、空気供給管５０に接続する空気供給源５５と膜吐水管３０とを独立させた配置が可能となる。
【００６０】
空気供給管５０には空気供給源５５を設ける必要があり、空気供給源５５の内部への水の浸入の可能性を考慮すると、空気供給源５５を膜吐水管３０の内側に配置することは困難である。これに対して、本実施形態では、分岐点Ｐ１よりも下流側では膜吐水管３０の内部に空気供給管５０を配置して、分岐点Ｐ１よりも上流側では空気供給管５０を分岐させることで、膜吐水管３０から独立した位置に空気供給源５５を設けている。これにより、設計上の制約を満たしながら、３重菅構造による吐水形態を実現させることができる。
【００６１】
また、ストレート吐水管４０及び空気供給管５０の２重菅構造において、ストレート吐水管４０を空気供給管５０及び空気供給源５５の両方の内部を貫通するように配置している。ストレート吐水管４０を、空気供給源５５を通さずに空気供給管５０の途中から合流させる場合に比べて、構造を簡素化することができ、水栓１の小型化を図ることができる。なお、ストレート吐水管４０は空気供給管５０及び空気供給源５５の内側に配置されているため、ストレート吐水管４０を流れる水が、空気供給管５０及び空気供給源５５に浸入することがない。
【００６２】
上述したように、本実施形態の水栓１によれば、吐水部２０と、ストレート吐水口１４に水を供給するストレート吐水管４０と、空気口１６に空気を供給する空気供給管５０と、膜吐水口１２に水を供給する膜吐水管３０とを備える。吐水部２０は、ストレート状の水を吐水するストレート吐水口１４と、ストレート吐水口１４の周囲に設けられ空気を吐出する空気口１６と、空気口１６の周囲に設けられ膜状の水を吐水する膜吐水口１２とを形成する。ストレート吐水管４０、空気供給管５０、及び膜吐水管３０は、吐水部２０において内側から順に３重の入れ子構造を有する。ストレート吐水管４０、空気供給管５０、及び膜吐水管３０は、吐水部２０よりも上流側の分岐点Ｐ１において、膜吐水管３０を空気供給管５０の管外に分岐させた、ストレート吐水管４０及び空気供給管５０による２重の入れ子構造を有する。
【００６３】
この構成によれば、分岐点Ｐ１において膜吐水管３０を空気供給管５０の管外に分岐させることで、空気供給管５０に空気を供給する空気供給源５５を膜吐水管３０の管外に設けることができる。これにより、空気供給源５５に関する設計上の制約を満たしながら、大型化することなく、簡易な構成で、膜状の水、ストレート状の水、及び空気を吐出可能な水栓１を形成することができる。
【００６４】
また、本実施形態の水栓１において、分岐点Ｐ１よりも上流側において、空気供給管５０に空気を供給する空気供給源５５をさらに備える。ストレート吐水管４０は、空気供給源５５の中を貫通して空気供給管５０の中に通される。
【００６５】
この構成によれば、ストレート吐水管４０を空気供給源５５の内部を通じて設けることで、水栓１において分岐点Ｐ１よりも上流側の部分を小型化することができる。
【００６６】
また、本実施形態の水栓１において、分岐点Ｐ１の上流側で、膜吐水管３０と、２重の入れ子構造であるストレート吐水管４０及び空気供給管５０とを収容して、水栓１を支持する台座３に取り付けられる収容管７０をさらに備える。
【００６７】
この構成によれば、膜吐水管３０を空気供給管５０の管外に分岐させた構成にしても、収容管７０に収容して外部から見えないようにすることで、デザイン性を向上させることができる。
【００６８】
また、本実施形態の水栓１において、収容管７０の上端から側方に吐水部２０に向かって延び、ストレート吐水管４０、空気供給管５０、及び膜吐水管３０が内側から順に３重の入れ子構造を有する第１スパウト部６２をさらに備える。
【００６９】
この構成によれば、第１スパウト部６２で、ストレート吐水管４０、空気供給管５０、及び膜吐水管３０を３重の入れ子構造にすることで、第１スパウト部６２を収容管７０に比べて細くすることができる。これにより、デザイン性を向上させることができる。
【００７０】
また、本実施形態の水栓１において、第１スパウト部６２において、膜吐水管３０と空気供給管５０との間の空間９１の容積は、空気供給管５０とストレート吐水管４０との間の空間９７及びストレート吐水管４０の管内の空間９４の合計の容積よりも大きい。
【００７１】
この構成によれば、第１スパウト部６２における膜吐水管３０と空気供給管５０との間の空間９１を通じて、膜吐水管３０を流れる水を整流することができる。これにより、膜吐水が分散して膜が崩れることを防止することができ、安定的な膜吐水を行うことができる。
【００７２】
また、本実施形態の水栓１において、第１スパウト部６２における膜吐水管３０は、第１スパウト部６２の外表面を構成する。
【００７３】
この構成によれば、膜吐水管３０を第１スパウト部６２の外表面とすることで、第１スパウト部６２をさらに細くすることができ、デザイン性をさらに向上させることができる。
【００７４】
また、本実施形態の水栓１において、第１スパウト部６２の下流側から下方に延びて吐水部２０に接続し、ストレート吐水管４０、空気供給管５０、及び膜吐水管３０が、内側から順に３重の入れ子構造となる第２スパウト部６４をさらに備える。
【００７５】
この構成によれば、第２スパウト部６４によって下方に吐水することができる。
【００７６】
また、本実施形態の水栓１において、第２スパウト部６４における膜吐水管３０（第３膜吐水管３３）の上下方向の長さＬ１は、膜吐水口１２の直径Ｄ１よりも長い。
【００７７】
この構成によれば、第２スパウト部６４における膜吐水管３０の上下方向の長さを長くすることで、膜吐水口１２から吐水される水を、第２スパウト部６４における膜吐水管３０を通じて整流することができ、安定的な膜吐水を行うことができる。
【００７８】
また、本実施形態の水栓１において、第２スパウト部６４における膜吐水管３０は、第１流路１０１及び第２流路１０２を有する。第１流路１０１は、第１スパウト部６２における膜吐水管３０の下流側に接続して下方に延びる。第２流路１０２は、第１流路１０１の下端部から膜吐水口１２に向けて外側に傾斜して延びる。
【００７９】
この構成によれば、第２流路１０２を第１流路１０１の下端部から外側に傾斜して形成することで、第１流路１０１を流れる水の勢いを弱めることができ、安定的な膜吐水を行うことができる。また、膜吐水口１２から吐水される水を広範囲に広げることができる。
【００８０】
なお、本発明は上記実施形態に限定されるものではなく、その他種々の態様で実施できる。例えば、上記実施形態では、第２膜吐水管３２は第１スパウト部６２の外表面を構成し、第３膜吐水管３３は第２スパウト部６４の外表面を構成するとしたが、これに限定されない。例えば、第１スパウト部６２及び第２スパウト部６４の外表面は、膜吐水管３０の外側に設けられる部材によって構成されてもよい。
【００８１】
また、第２流路１０２は、第１流路１０１の下端部から膜吐水口１２に向けて形成されるとしたが、これに限定されない。例えば、第２流路１０２は、第１流路１０１から流れる水を部分的に遮ってオーバーフローさせるオーバーフロー部を介して接続されていてもよい。
【００８２】
また、膜吐水口１２から吐水される膜状の水は、平面視で環状（例えば、円環状）に形成されるとしたが、これに限定されない。例えば、膜状の水は、平面視で環状ではなく線状（例えば、曲線状や直線状等）に形成されていてもよい。
【００８３】
本発明は、添付図面を参照しながら好ましい実施形態に関連して充分に記載されているが、この技術の熟練した人々にとっては種々の変形や修正は明白である。そのような変形や修正は、添付した特許請求の範囲による本発明の範囲から外れない限りにおいて、その中に含まれると理解されるべきである。また、実施形態における要素の組み合わせや順序の変化は、本発明の範囲および思想を逸脱することなく実現し得るものである。
【産業上の利用可能性】
【００８４】
本発明に係る水栓は、膜状の水及びストレート状の水を吐水する水栓に有用である。
【符号の説明】
【００８５】
１  水栓
３  台座
１０  吐水口
１２  膜吐水口
１４  ストレート吐水口
１６  空気口
２０  吐水部
３０  膜吐水管
３１  第１膜吐水管
３２  第２膜吐水管
３３  第３膜吐水管
３４  傾斜面
３６  下端部
４０  ストレート吐水管
４１  第１ストレート吐水管
４２  第２ストレート吐水管
４３  第３ストレート吐水管
５０  空気供給管
５１  第１空気供給管
５２  第２空気供給管
５３  第３空気供給管
５４  ねじ山
５５  空気供給源
５６  貫通孔
６０  スパウト本体
６２  第１スパウト部
６４  第２スパウト部
７０  収容管
８０  アタッチメント
８１  ねじ山
８３  傾斜面
８４  上端部
８５  下端部
９０，９１，９２，９３，９４，９５，９６，９７，９８，９９  空間
９１ａ  第１空間
９１ｂ  第２空間
９１ｃ  第３空間
１０１  第１流路
１０２  第２流路
【要約】
【課題】簡易な構成で、膜状の水、ストレート状の水、及び空気を吐出することができる水栓を提供する。
【解決手段】水栓は、ストレート状の水を吐水するストレート吐水口と、ストレート吐水口の周囲に設けられ空気を吐出する空気口と、空気口の周囲に設けられ膜状の水を吐水する膜吐水口とを形成する吐水部と、ストレート吐水口に水を供給するストレート吐水管と、空気口に空気を供給する空気供給管と、膜吐水口に水を供給する膜吐水管とを備え、ストレート吐水管、空気供給管、及び膜吐水管は、吐水部において内側から順に３重の入れ子構造を有し、吐水部よりも上流側の分岐点において、膜吐水管を空気供給管の管外に分岐させた、ストレート吐水管及び空気供給管による２重の入れ子構造を有する。
【選択図】図２【図１】
0006851024.tif 000002
【図２】
0006851024.tif 000003
【図３】
0006851024.tif 000004
【図４】
0006851024.tif 000005
【図５】
0006851024.tif 000006
【図６】
0006851024.tif 000007